(57)【要約】【課題】集塵性能を向上させて、絨毯やカーペット上の塵埃を充分に吸い込むことができる電気掃除機用床ノズルを提供することを目的としている。【解決手段】床ノズル本体２１の吸い込み室２６内に回転ブラシ２７を備え、前記回転ブラシ２７を構成するブレード等の清掃部材３０にブレード等の清掃部材３０が伸縮できる折込部３７を設け、絨毯にブレード等の清掃部材３０が当たって塵埃をかき上げているときには、この折込部３７が延びてブレード等の清掃部材３０によるかき上げ距離が大きくなり、集塵性能を向上させるものである。また絨毯上に毛の塊等があり抵抗が大きくなった場合には、この折込部３７が縮んでブレード等の清掃部材３０が逃げるため、操作性を損なうことがなく掃除ができるものである。【選択図】図９
2004237127.tif 000002
【特許請求の範囲】
【請求項１】
床ノズル本体の吸い込み室内に回転ブラシを備え、前記回転ブラシを構成するブレード等の清掃部材が伸縮できる構成とした電気掃除機用床ノズル。
【請求項２】
回転ブラシを構成するブレードの表面に絨毯と接する長手方向の端面に対して斜め方向の突起を複数個略平行に設けた請求項１記載の電気掃除機用床ノズル。
【発明の詳細な説明】
【技術分野】
【０００１】
本発明は一般家庭で使用される電気掃除機用床ノズルに関するものである。
【背景技術】
【０００２】
従来の電気掃除機用床ノズルについて、図１０・図１１に基づいて説明する。１は清掃面の塵埃を吸い込む床ノズル本体（以下単に本体と称する）で、上下動自在な連通管と、図示していない掃除機本体に接続する接続管とが接続されている。本体１内には、モータ３によって駆動される回転ブラシ２を設けている。つまり、回転ブラシ２はその一端をベルト４を介してモータ３に接続しており、また両端を軸受け６で回動自在に支持しているものである。この回転ブラシ２は回転子７にブレード等の清掃部材８を設けることにより構成している。回転ブラシ２を配設した室は塵埃を吸い込むための吸い込み室５となっており、吸い込み室５の両側面には隅の塵埃を吸い込む開放通路を設けている。
【０００３】
以上の構成で、使用者が掃除機本体を動かして清掃を行うと、吸い込み室５から塵埃を吸い込んで、接続管から掃除機本体にこの塵埃を送り込むものである。このとき回転ブラシ２は、回転して絨毯内の塵埃をかき上げる役目をするものである。
【発明の開示】
【発明が解決しようとする課題】
【０００４】
前記従来の構成の電気掃除機用床ノズルは、絨毯等のカーペット上を清掃する場合には、回転ブラシ２が回転しカーペットの毛にからみ付いている綿毛や糸ゴミさらにはペット類の毛をブレード等の清掃部材８によってかき出して吸い込んでいる。しかし、カーペットなどにしつこくからみ付いた綿毛や糸ゴミさらにはペット毛等は、従来の回転ブラシ２のブレード等の清掃部材８では充分に取れない場合が多く問題となっている。特にペットについては、毛の長さが長く、また体をカーペット等にこすりつける習性があるため特に問題となっている。このようなペット毛を取ろうとしてブレード等の清掃部材８の表面を複雑な形状にした場合には、カーペット自体の毛をむしったりしてカーペットを痛めてしまうという問題が生ずるものである。
【０００５】
本発明はこのような従来の構成が有している課題を解決しようとするもので、集塵性能が高い掃除機用床ノズルを提供することを目的とするものである。
【課題を解決するための手段】
【０００６】
上記目的を達成するための本発明の第一の手段は、床ノズル本体の吸い込み室内に回転ブラシを備え、前記回転ブラシを構成するブレード等の清掃部材が伸縮できる構成とした電気掃除機用床ノズルとするものである。
【０００７】
本発明の第二の手段は、第一の手段の構成に加え、回転ブラシを構成するブレード等の清掃部材の表面に絨毯と接する長手方向の端面に対して斜め方向の突起を複数個略平行に設けた電気掃除機用床ノズルとするものである。
【発明の効果】
【０００８】
本発明の第一の手段は、床ノズル本体の吸い込み室内に回転ブラシを備え、前記回転ブラシを構成するブレード等の清掃部材が伸縮できる構成として、かき上げ距離を大きくして集塵性能の高い電気掃除機用床ノズルを実現するものである。
【０００９】
本発明の第二の手段は、第一の手段の構成に加え、回転ブラシを構成するブレード等の清掃部材の表面に絨毯と接する長手方向の端面に対して斜め方向の突起を複数個略平行に設けた構成として、集塵性能が高く、かつ操作が軽くできる電気掃除機用床ノズルを実現するものである。
【発明を実施するための最良の形態】
【００１０】
本発明の第一の手段は、床ノズル本体の吸い込み室内に回転ブラシを備え、前記回転ブラシを構成するブレード等の清掃部材が伸縮できる構成としているため、塵埃のかき上げ距離を増加するように作用して、集塵性能を向上させるものである。また絨毯上に毛の塊等があった場合に、この清掃部材が逃げるため操作性を損なうことがなく掃除ができるものである。
【００１１】
本発明の第二の手段は、第一の手段の構成に加え、ブレード等の清掃部材の表面に斜め方向の突起を複数個略平行に設けているため、絨毯の毛の中に極めて抵抗が少ない状態で入り込んで、塵埃をかき出すように向上するように作用するものである。
【実施例】
【００１２】
以下本発明の第一の実施例について図１・図２に基づいて説明する。床ノズル本体（以下単に本体と称する）２１の前方内部には、下方開放部を吸い込み口２５とした吸い込み室２６を、後方内部には回転ブラシ２７を駆動するモータ２８を内蔵したモータ室を形成している。モータ室は隔壁によって前記吸い込み室２６とは区画されている。回転ブラシ２７は吸い込み室２６内に設けており、回転子２９とこの周面に設けたブレード等の清掃部材３０で構成している。
【００１３】
本実施例ではブレード等の清掃部材３０は、２条で２７０度のねじり角度を持って形成している。またブレード等の清掃部材３０の材質については、特に規制するものではないが本実施例では耐摩耗性に優れている水素ニトリルゴムの厚さ０．７ｍｍのものを使用している。回転ブラシ２７がモータ２８によって回転駆動されると、ブレード等の清掃部材３０が回転して絨毯面の塵埃をかき上げるように作用するものである。３１は使用者の本体２１の操作が容易にできるように、使用者の前後方向の操作に応じて清掃面を回転するローラーで、吸い込み口２５を清掃面から一定の間隔をおいた位置とするようにも作用している。またブレード等の清掃部材３０は図１に示しているように、表面に絨毯と接する長手方向の端面に対して斜め方向の突起３２を複数個設けている。この複数個の突起３２は互いに略平行としているもので、垂直面に対して６０度に傾けている。また突起代は０．５ｍｍとしている。この角度については特に規定していないが、ブレード等の清掃部材３０端面に対して平行または直角では効果はないものである。また突起３２は両面に設けても片面でもよく、要は絨毯に当たる面にあることが不可欠である。
【００１４】
以上の構成で、ブレード等の清掃部材３０の表面に絨毯と接する長手方向の端面に対して斜め方向の突起３２が、清掃時に外周端部の方向から絨毯の毛の中に抵抗が極めて少なく入り込んで、絨毯中の塵埃をかき出すものである。また、突起３２を斜めに設けているため隣合う突起が必ずオーバラップしており、絨毯にブレード等の清掃部材３０が当たらないという現象は生じないものである。従って、効率のよい集塵ができるものである。
【００１５】
次に本発明の第二の実施例を図３に基づいて説明する。本実施例は、ブレード等の清掃部材３０の略中央部の外径Ｄ１を両端部の外径Ｄ２よりも大きくなるような回転ブラシ構成としているものである。
【００１６】
このため本実施例によれば、清掃時に従来取り残しがちになっているノズル中央部の絨毯へのあたりが強くなるものである。このため、特にこの部分の塵埃を強くかき上げることができ、集塵性能を向上するように作用するものである。
【００１７】
続いて本発明の第三の実施例について図４に基づいて説明する。本実施例では、回転子２９にブレード等の清掃部材３０を設ける場合に、回転ブラシ２７の略中央部３０ａを折り返し点として略対称となるように設けているものである。またこの折り返し点の位置を回転方向に対する頂点となるようにしているものである。
【００１８】
以上の構成として、本実施例ではブレード等の清掃部材３０の剛性を高めているものである。つまり、ブレード等の清掃部材３０として本実施例では前記第一の実施例で説明しているように耐摩耗性に優れている水素ニトリルゴムの厚さ０．７ｍｍのものを成型して使用しているものである。このため、ブレード等の清掃部材３０の先端部では厚さが約０．２〜０．３ｍｍ程度となり折れ曲がりやすくなるものである。本実施例では前記しているように、ブレード等の清掃部材３０を回転子２９に対して回転ブラシ２７の略中央部３０ａを折り返し点として略対称となるように、またこの折り返し点の位置を、回転方向に対する頂点となるように設けているものである。つまり従来のブレード等の清掃部材のように一方向にねじれた形ではなく、両方向に対称的にねじれた形で回転子２９に設けているものである。このため折り返し点近傍が絨毯に当たると、その後方の両側に続いているブレード等の清掃部材３０が剛性を高くするようにサポートするものである。つまり本実施例では、ブレード等の清掃部材３０の中央部の剛性を高めて、塵埃のかき出し性能を高め集塵性能を高めているものである。
【００１９】
続いて本発明の第四の実施例について図５に基づいて説明する。本実施例の電気掃除機用床ノズルは、外周端を複数個３０ｂ、３０ｃに分割したブレード等の清掃部材３０を備えているものである。本実施例では図５に示しているように２つに分割したものを使用している。
【００２０】
こうして、外周端を回転方向に対して前後するように少なくとも２つ以上に分割したブレード等の清掃部材が、塵埃のかき上げ作用を連続して行い、集塵性能を向上するように作用するものである。つまり一つ目のブレード等の清掃部材３０ｂが絨毯をかき上げたすぐ後、すなわちまだ絨毯の毛が起きている状態で、二つ目のブレード等の清掃部材３０ｃが絨毯をかき上げるために一つ目で取り残した細かな塵埃も集塵することができるものである。
【００２１】
また本発明の第五の実施例は図６に示しているとおり、前記第四の実施例で説明した２つに分割したブレード等の清掃部材３０について、回転方向に対して後方側に位置する子ブレード等の清掃部材３３の剛性をその前にある主ブレード等の清掃部材３４のものより弱くしたものである。つまり本実施例では、主ブレード等の清掃部材３４を０．８ｍｍ、子ブレード等の清掃部材３３を０．４ｍｍとしているものである。
【００２２】
以上の構成として、絨毯面の清掃効率を高めるように動作するものである。つまりブレード等の清掃部材３０が回転して絨毯と接触した場合に、先ず回転方向に対して前方に位置している剛性の高い主ブレード等の清掃部材が３４が強く絨毯面を強くこすって塵埃をかき上げ、続いて後方側に位置している剛性の弱い子ブレード等の清掃部材３３が軽く絨毯面と接触して、絨毯の表面に残った細かい塵埃を効率よくかき上げるものである。
【００２３】
また本発明の第六の実施例では、図７に示しているように回転方向に対して後方側に位置している子ブレード等の清掃部材３３の表面に微細な植毛３５を施したものである。本実施例では、この植毛３５は子ブレード等の清掃部材３３の先端近傍に施しておりその長さは０．５ｍｍとしている。
【００２４】
この子ブレード等の清掃部材３３の表面に設けている微細な植毛３５は、絨毯に残った細かな塵埃に対して非常に効率よく作用して、塵埃のかき上げを非常に効率的に行うことができるものである。
【００２５】
また同様に第七の実施例では、図８に示すようにブレード等の清掃部材３０の回転子２９側に複数個の貫通孔３６を設けているものである。なお本実施例では、前記貫通孔３６の個数をブレード等の清掃部材３０の剛性の関係より５個に設定しているものである。
【００２６】
従来の構成では、ブレード等の清掃部材３０が絨毯の塵埃をかき上げる瞬間においては本体２１からの吸い込み気流は、ブレード等の清掃部材３０が壁となって流れにくいものとなっている。本実施例では、ブレード等の清掃部材３０の回転子２９側に複数個の貫通孔３６を設けているため、気流はこの貫通孔３６を通過するものである。つまり、塵埃に吸い込み力を与えながらかき出し力が働くことになるものである。つまり、本実施例によれば一層塵埃の集塵力を高めた電気掃除機用床ノズルを実現するものである。
【００２７】
また第八の実施例は図９に示すように、ブレード等の清掃部材３０の回転子２９側近傍にブレード等の清掃部材３０の伸縮ができる折込部３７を設けたものである。こうしてブレード等の清掃部材３０は通常は、縮んだ状態となるようにしているものである。
【００２８】
以下本実施例の動作について説明する。絨毯にブレード等の清掃部材３０が当たって塵埃をかき上げているときには、この折込部３７が延びてブレード等の清掃部材３０によるかき上げ距離が大きくなるものである。つまり集塵性能が向上するものである。また絨毯上に毛の塊等がありブレード等の清掃部材３０の抵抗が大きくなったときには、この折込部３７が逃げるため操作性を損なうことがなく掃除ができるものである。
【００２９】
なお、第二〜第八の実施例における各ブレード等の清掃部材３０には第一の実施例における突起３２を設けることが望ましいが、必ず突起３２を必要とするものではない。
【産業上の利用可能性】
【００３０】
以上のように、本発明にかかる電気掃除機用床ノズルは、回転ブラシを構成するブレード等の清掃部材が回転ブラシの回転で伸縮し、かき上げ距離を大きくすることで、集塵性能を高めることができ、かつ前記ブレード等の清掃部材の表面に対して斜め方向の突起を複数個略平行に設けることで操作が軽くでき、掃除機等に適用できる。
【図面の簡単な説明】
【００３１】
【図１】本発明の第二の実施例を示す電気掃除機用床ノズルのブレード等の清掃部材の斜視図
【図２】同電気掃除機用床ノズルを底面からみた平面図
【図３】同第三の実施例を示すブレード等の清掃部材の平面図
【図４】同第八の実施例を示すブレード等の清掃部材の平面図
【図５】同第四の実施例を示すブレード等の清掃部材の斜視図
【図６】同第五の実施例を示すブレード等の清掃部材の斜視図
【図７】同第六の実施例を示すブレード等の清掃部材を一部切欠いて示した斜視図
【図８】同第七の実施例を示すブレード等の清掃部材の斜視図
【図９】同第一の実施例を示すブレード等の清掃部材の斜視図
【図１０】従来の電気掃除機用床ノズルの底面からみた平面図
【図１１】同回転ブラシの平面図
【符号の説明】
【００３２】
２１  床ノズル本体
２７  回転ブラシ
３０  ブレード等の清掃部材
３２  突起
３３  子ブレード等の清掃部材
３４  主ブレード等の清掃部材
３５  植毛
３６  貫通孔
３７  折込部
【図１】
2004237127.tif 000003
【図２】
2004237127.tif 000004
【図３】
2004237127.tif 000005
【図４】
2004237127.tif 000006
【図５】
2004237127.tif 000007
【図６】
2004237127.tif 000008
【図７】
2004237127.tif 000009
【図８】
2004237127.tif 000010
【図９】
2004237127.tif 000011
【図１０】
2004237127.tif 000012
【図１１】
2004237127.tif 000013